(57)【特許請求の範囲】
【請求項１】
外部からの主電源ＯＮを通知する主電源ＯＮ信号と、主電源ＯＦＦを通知する主電源ＯＦＦ信号を受信するモード信号受信部と、
前記モード信号受信部が前記主電源ＯＮ信号を受信したときから、及び、前記主電源ＯＦＦ信号を受信したときから計時を開始する計時部と、
画像形成装置内に設けられる給電対象への電力供給と停止を切り替え可能な複数の電源デバイスと接続され、各前記電源デバイスに信号を出力する信号出力部と、
前記主電源ＯＮ信号を受信したときに前記電源デバイスに電力供給を行わせる順序と、前記主電源ＯＮ信号を受信したときから前記電源デバイスをＯＮする旨の通電信号を出すまでの第１所要時間とを、それぞれの前記電源デバイスに対して定めた通電タイミングデータと、前記主電源ＯＦＦ信号を受信したときに前記電源デバイスに電力供給を停止させる順序と、前記主電源ＯＦＦ信号を受信したときから前記電源デバイスをＯＦＦする旨の遮断信号を出すまでの第２所要時間とを、それぞれの前記電源デバイスに対して定めた遮断タイミングデータと、を記憶するメモリーと、
前記主電源ＯＮ信号を前記モード信号受信部が受信したとき、前記計時部の計時に基づき、前記信号出力部に、前記通電タイミングデータに定められた順序と時間で、それぞれの前記電源デバイスに向け前記通電信号を出力させ、前記主電源ＯＦＦ信号を前記モード信号受信部が受信したとき、前記計時部の計時に基づき、前記信号出力部に、前記遮断タイミングデータに定められた順序と時間でそれぞれの前記電源デバイスに向け前記遮断信号を出力させる管理制御部と、
それぞれの前記電源デバイスの出力が入力され、それぞれの前記電源デバイスの状態を認識する状態監視部と、を含み、
前記状態監視部は、それぞれの前記電源デバイスの出力の期待値を定めた期待値データを保持するとともに、次の順序の前記電源デバイスへの前記通電信号を出力すべき時点である予定時点までに、前記通電信号の入力を開始した前記電源デバイスのうち前記通電信号を入力してからの時間が最も短い前記電源デバイスである現在の順序の前記電源デバイスが前記期待値になっているか否かを監視し、
前記管理制御部は、
前記予定時点までに現在の順序の前記電源デバイスが前記期待値になっていると前記状態監視部が認識したとき、前記通電タイミングデータに基づき次の順序の前記電源デバイスに前記通電信号を出力させ、
前記予定時点までに現在の順序の前記電源デバイスが前記期待値になっていないと前記状態監視部が認識したとき、前記期待値になるまで次以降の順序の前記電源デバイスに前記通電信号を出力する時間を延長させ、
前記主電源ＯＮ信号の受信に基づいて前記通電信号を出力していく間に延長したとき、前記通電信号の入力が遅らされた全ての前記電源デバイスの前記第１所要時間に延長した時間分を加算して前記通電タイミングデータのうち、前記通電信号の入力が遅らされた全ての前記電源デバイスの前記第１所要時間を前記メモリーに書き換えさせることを特徴とする電源管理回路。
【請求項２】
前記モード信号受信部は、外部から、画像形成装置のうち予め定められた供給停止部分への電力供給を停止させる省電力モードへの移行を指示する移行信号と、前記省電力モードを解除し前記供給停止部分への電力供給の再開を指示する解除信号を受信し、
前記計時部は、前記モード信号受信部が前記移行信号を受信したときから、及び、前記解除信号を受信したときから計時を開始し、
前記メモリーは、前記解除信号を受信したときに前記供給停止部分に対応する前記電源デバイスに電力供給を行わせる順序と、前記解除信号を受信したときから停止状態の前記電源デバイスに前記通電信号を出すまでの第３所要時間とを、前記供給停止部分に対応する前記電源デバイスのそれぞれについて定めた前記通電タイミングデータと、前記移行信号を受信したときに前記供給停止部分に対応する前記電源デバイスの電力供給を停止させる順序と、前記供給停止部分に対応する前記電源デバイスのそれぞれについて、前記移行信号を受信したときから前記遮断信号を出すまでの第４所要時間と、を定めた前記遮断タイミングデータと、を記憶し、
前記管理制御部は、前記解除信号を前記モード信号受信部が受信したとき、前記計時部の計時に基づき、前記信号出力部に、前記通電タイミングデータに定められた順序と時間で、前記供給停止部分に対応する前記電源デバイスに向け前記通電信号を出力させ、前記移行信号を前記モード信号受信部が受信したとき、前記計時部の計時に基づき、前記信号出力部に、前記遮断タイミングデータに定められた順序と時間で前記供給停止部分に対応する前記電源デバイスに向け前記遮断信号を出力させることを特徴とする請求項１に記載の電源管理回路。
【請求項３】
前記管理制御部は、前記解除信号の受信に基づいて前記通電信号を出力していく間に延長したとき、前記供給停止部分に対応する前記電源デバイスの前記第３所要時間であって、前記通電信号の入力が遅らされた全ての前記電源デバイスの前記第３所要時間に延長した時間分を加算して、前記通電タイミングデータのうち、前記通電信号の入力が遅らされた全ての前記電源デバイスの前記第３所要時間を前記メモリーに書き換えさせることを特徴とする請求項２記載の電源管理回路。
【請求項４】
前記状態監視部は、前記通電信号の入力から前記電源デバイスの出力が前記期待値となるまでの許容時間を、それぞれの前記電源デバイスについて定めた許容時間データを保持し、前記許容時間までに出力が前記期待値とならない前記電源デバイスを認識したとき、
全ての前記電源デバイスに対し、前記遮断信号を前記信号出力部に出力させることを特徴とする請求項１乃至３の何れか１項に記載の電源管理回路。
【請求項５】
請求項１乃至４の何れか１項に記載の電源管理回路を含むことを特徴とする画像形成装置。
【発明の詳細な説明】
【技術分野】
【０００１】
本発明は、電力供給と停止を行う電源デバイスを複数制御する電源管理回路に関する。又、この電源管理回路を含む画像形成装置に関する。
【背景技術】
【０００２】
近年、装置に含まれる回路、素子、基板のようなそれぞれの部分（給電対象）に対し、ＯＮ／ＯＦＦ可能な電圧生成回路を設けたり、電力供給と停止の制御を行うためのスイッチを設けたりして、複数の電源系統を設けることがある。複数の電源系統のうち、不要な給電対象に電力供給を供給する電源系統をＯＦＦすれば、無駄な電力消費を防ぐことができる。このような電力供給系統単位でのＯＮ／ＯＦＦを行える電源制御装置の一例が特許文献１に記載されている。
【０００３】
具体的に、特許文献１には、複数の電源をオンする順序及びタイミングを規定したオン情報を記憶する記憶部と、前記記憶部に記憶されたオン情報を選択する選択部と、前記選択部により選択されたオン情報に基づいて前記複数の電源をオンする順序及びタイミングを制御し、ＯＲ回路３１、ＭＵＸ（マルチプレクサ）３２と、第１のダウンカウンター、比較器３３、生成回路３４、第２のダウンカウンター、ＯＮ信号生成回路を含む電源制御部とを備える電源制御装置が記載されている（特許文献１：請求項１、段落［００２９］、図５、図７等参照）。
【先行技術文献】
【特許文献】
【０００４】
【特許文献１】特開２０１３−１０９５５１号公報
【発明の概要】
【発明が解決しようとする課題】
【０００５】
画像形成装置には、ＣＰＵ、半導体メモリー、ＩＣ、基板、センサーのような多数の給電対象が設けられる。各給電対象に印加すべき電圧値は様々である。そのため、画像形成装置内には、複数の電力変換回路（例えば、ＤＣＤＣコンバーター）が設けられることがある。また、近年の画像形成装置には、省電力モードが設けられる。そして、省電力モードに関しては、画像形成装置内の給電対象のうち、省電力モードで電力供給を行わない供給停止部分が予め定められる。そして、省電力モードでは、供給停止部分のみに接続される電力変換回路は停止される。また、供給停止部分への電力供給のＯＮ／ＯＦＦを行うためのスイッチが設けられる場合もある。そして、省電力モードでは、供給停止部分に対応するスイッチはＯＦＦされる。より細かな制御のために、電力変換回路やスイッチの設置個数は多くなることがある。このように、画像形成装置内の電力供給系統は多数設けられ、分岐されている。
【０００６】
一方、画像形成装置では、主電源ＯＮなどの起動処理を行うとき、各給電対象に対し、電圧を印加する順序（電力供給系統ＯＮの順序）が予め定められる。例えば、メイン制御基板が起動していないのに、サブ制御基板に電力供給がなされると、メイン制御基板に不要な電流が流れ込む場合がある。また、基板内のＣＰＵのような１つの回路でも、入力が求められる電圧が複数に及ぶ場合がある。ＣＰＵのコアに電圧を印加していないのに、ＣＰＵのＩ／Ｏに電圧を印加すると、ＣＰＵのコアに大きな電流が流れてしまうことがある。これらの問題を避け、決まった順序で画像形成装置内の各給電対象に電圧を印加開始するため、電力変換回路やスイッチのＯＮの順序が定められる。
【０００７】
従来、画像形成装置では、所定の順序で各給電対象への電圧入力を行うため、スイッチや電力変換回路のＯＮを指示する信号線に対し、それぞれ遅延回路を設けることが多い。予め定められた順序で、ＯＮの指示信号（イネーブル信号）がスイッチや電力変換回路に入力されるように、それぞれの遅延回路は、遅延時間が調整される。しかし、遅延回路の特性のばらつきがある。また、設けられるスイッチや電力変換回路が多いほど（ＯＮ／ＯＦＦする電力供給系統が多いほど）、数多くの遅延回路が必要となり、全ての遅延回路の遅延時間を完全に調整することが煩わしく、複雑となる場合もある。このように、順序（シーケンス）を守れなくなってきているという問題がある。
【０００８】
ここで、特許文献１記載の技術では、複数のダウンカウンターや、ＭＵＸ（マルチプレクサ）３２、複数の信号生成回路などのような多数の回路を備えている。また、複数の遅延回路を設ける場合と同様に、複数のダウンカウンターを設けている。また、複雑な信号のやりとりを行っている部分もある。そのため、各電源ＯＮのタイミングを調整するには様々な設定、調整が必要である。そのため、上記の問題を解決するものではない。
【０００９】
本発明は、上記従来技術の問題点に鑑み、給電対象に電力供給を行う複数の電源デバイスのＯＮ又はＯＦＦを、所定の順序通りに適切なタイミングで行う。
【課題を解決するための手段】
【００１０】
上記課題を解決するため、請求項１に係る電源管理回路は、外部からの主電源ＯＮを通知する主電源ＯＮ信号と、主電源ＯＦＦを通知する主電源ＯＦＦ信号を受信するモード信号受信部と、前記モード信号受信部が前記主電源ＯＮ信号を受信したときから、及び、前記主電源ＯＦＦ信号を受信したときから計時を開始する計時部と、画像形成装置内に設けられる給電対象への電力供給と停止を切り替え可能な複数の電源デバイスと接続され、各前記電源デバイスに信号を出力する信号出力部と、前記主電源ＯＮ信号を受信したときに前記電源デバイスに電力供給を行わせる順序と、前記主電源ＯＮ信号を受信したときから前記電源デバイスをＯＮする旨の通電信号を出すまでの第１所要時間とを、それぞれの前記電源デバイスに対して定めた通電タイミングデータと、前記主電源ＯＦＦ信号を受信したときに前記電源デバイスに電力供給を停止させる順序と、前記主電源ＯＦＦ信号を受信したときから前記電源デバイスをＯＦＦする旨の遮断信号を出すまでの第２所要時間とを、それぞれの前記電源デバイスに対して定めた遮断タイミングデータと、を記憶するメモリーと、前記主電源ＯＮ信号を前記モード信号受信部が受信したとき、前記計時部の計時に基づき、前記信号出力部に、前記通電タイミングデータに定められた順序と時間で、それぞれの前記電源デバイスに向け前記通電信号を出力させ、前記主電源ＯＦＦ信号を前記モード信号受信部が受信したとき、前記計時部の計時に基づき、前記信号出力部に、前記遮断タイミングデータに定められた順序と時間でそれぞれの前記電源デバイスに向け前記遮断信号を出力させる管理制御部と、それぞれの前記電源デバイスの出力が入力され、それぞれの前記電源デバイスの状態を認識する状態監視部と、を含む。前記状態監視部は、それぞれの前記電源デバイスの出力の期待値を定めた期待値データを保持するとともに、次の順序の前記電源デバイスへの前記通電信号を出力すべき時点である予定時点までに、前記通電信号の入力を開始した前記電源デバイスのうち前記通電信号を入力してからの時間が最も短い前記電源デバイスである現在の順序の前記電源デバイスが前記期待値になっているか否かを監視する。前記管理制御部は、前記予定時点までに現在の順序の前記電源デバイスが前記期待値になっていると前記状態監視部が認識したとき、前記通電タイミングデータに基づき次の順序の前記電源デバイスに前記通電信号を出力させる。前記管理制御部は、前記予定時点までに現在の順序の前記電源デバイスが前記期待値になっていないと前記状態監視部が認識したとき、前記期待値になるまで次以降の順序の前記電源デバイスに前記通電信号を出力する時間を延長させる。前記管理制御部は、前記主電源ＯＮ信号の受信に基づいて前記通電信号を出力していく間に延長したとき、前記通電信号の入力が遅らされた全ての前記電源デバイスの前記第１所要時間に延長した時間分を加算して前記通電タイミングデータのうち、前記通電信号の入力が遅らされた全ての前記電源デバイスの前記第１所要時間を前記メモリーに書き換えさせる。
【発明の効果】
【００１１】
上述したように、画像形成装置の各部の給電対象に、電力供給を行う複数の電源デバイスのＯＮ又はＯＦＦを、順序通りに適切なタイミングで行うことができる。順序が守られるので、画像形成装置の主電源ＯＮ時の起動や、主電源ＯＦＦ時のシャットダウンや、モード間の遷移で電源のＯＮ順やＯＦＦ順がずれることによる問題は生じない。
【図面の簡単な説明】
【００１２】
【図１】実施形態に係る複合機の一例を示す図である。
【図２】実施形態に係る複合機のハードウェアの一例を示す図である。
【図３】実施形態に係る電源管理回路の一例を示す図である。
【図４】実施形態に係る複合機での電力供給系統の一例を示す図である。
【図５】実施形態に係る通電タイミングデータの一例を示す図である。
【図６】実施形態に係る遮断タイミングデータの一例を示す図である。
【図７】実施形態に係る電源管理回路での状態監視部の一例を示す図である。
【図８】実施形態に係る期待値の一例を示す図である。
【図９】ＤＣＤＣコンバーターの出力の立ち上がりの一例を示す図である。
【図１０】調整後の通電タイミングデータの一例を示す図である。
【図１１】実施形態に係る許容時間データの一例を示す図である。
【発明を実施するための形態】
【００１３】
以下、本発明の実施形態に係る電源管理回路１を図１〜図１１を用いて説明する。以下では、電源管理回路１を含む画像形成装置として複合機１００を例に挙げて説明する。但し、本実施の形態に記載されている構成、配置等の各要素は、発明の範囲を限定するものではなく単なる説明例にすぎない。
【００１４】
（複合機１００の概要）
まず、図１に基づき、本発明の実施形態に係る複合機１００を説明する。図１は、本発明の実施形態に係る複合機１００の一例を示す図である。
【００１５】
図１に示すように、本実施形態の複合機１００は、上部に画像読取部２ａと原稿搬送部２ｂが設けられる。又、破線で示すように、複合機１００の正面上部に操作パネル２ｃが備えられる。又、機体内には、印刷部３を含む。印刷部３は、給紙部３ａ、オプション給紙装置３ｂ、搬送部３ｃ、画像形成部３ｄ、定着部３ｅを含む。
【００１６】
まず、原稿搬送部２ｂは、使用者によりセットされた原稿を、原稿の読み取り位置まで搬送する。画像読取部２ａは、原稿搬送部２ｂが搬送する原稿や、画像読取部２ａ上面に載置された原稿を読み取り、画像データを生成する。操作パネル２ｃは、表示部を含み、使用者に対するメッセージを表示する。また、操作パネル２ｃには、表示部に対するタッチパネル部やハードキーが設けられ、使用者の設定入力やジョブ実行指示を受け付ける。
【００１７】
給紙部３ａは、印刷に用いる用紙を供給する。搬送部３ｃに供給される。尚、給紙部３ａの下段の給紙カセットは、オプション給紙装置３ｂである。オプション給紙装置３ｂも、給紙部３ａと同様に印刷に用いる用紙を供給する。搬送部３ｃは、用紙を排出トレイ３１に向けて搬送する。画像形成部３ｄは、画像データに基づきトナー像を形成し、搬送される用紙にトナー像を転写する。定着部３ｅは用紙に転写されたトナー像を定着させる。
【００１８】
（複合機１００のハードウェア構成）
次に、図２に基づき、実施形態に係る複合機１００のハードウェアを説明する。図２は、実施形態に係る複合機１００のハードウェアの一例を示す図である。
【００１９】
図２に示すように、本実施形態に係る複合機１００は、主制御部４（主制御基板）を有する。主制御部４は、装置全体の動作を統括し、複合機１００の各部の制御を司る。そして、主制御部４には、例えば、中央演算処理装置としてＣＰＵ４０などが設けられる。主制御部４と各部分との通信のため、通信バス４１や信号線が設けられる。尚、図２では、通信バス４１の形態で、主制御部４と各部を接続する形態を示しているが、個別に信号線で主制御部４と各部を接続してもよい。主制御部４は、記憶部４２と通信可能に接続される。記憶部４２はＲＯＭ４２ａ、ＲＡＭ４２ｂ、ＨＤＤ４２ｃのような記憶装置を含む。主制御部４は記憶部４２に記憶されたデータやプログラムに基づき制御を行う。
【００２０】
又、主制御部４は、原稿搬送部２ｂ、画像読取部２ａ、操作パネル２ｃと通信可能に接続される。主制御部４は、原稿搬送部２ｂや画像読取部２ａに指示を与える。この指示を受けて、原稿搬送部２ｂは、原稿の搬送を、画像読取部２ａは、原稿読取を実際に制御する。又、主制御部４は、操作パネル２ｃの表示部の表示内容の指示を与え、表示部はこれに応じた表示を行う。また、操作パネル２ｃでなされた設定を示すデータが主制御部４に送られ、主制御部４は、使用者の設定どおりに動作するように複合機１００を制御する。
【００２１】
又、主制御部４は、オプション給紙装置３ｂを含む印刷部３と接続される。尚、印刷部３の動作を実際に制御するエンジン制御部を別途設け、主制御部４は、エンジン制御部に指示を与えることにより、印刷部３の動作を制御するようにしてもよい。又、複合機１００は、外部との通信インターフェイスとしての通信部４３を含む。通信部４３は、例えば、外部のコンピューター２００（例えば、パーソナルコンピューター）と、ネットワークやケーブルにより、通信可能に接続される。そして、複合機１００は、コンピューター２００から画像データを含む印刷用データを受け印刷を行う（プリンタ機能）。又、原稿読取で得られた画像データを複合機１００からコンピューター２００に送信できる（スキャナ機能）
【００２２】
又、主制御部４は、複合機１００に内蔵される１次電源部４４と通信可能に接続され、１次電源部４４の動作を制御することができる。電源ケーブルをコンセントに接続することにより、１次電源部４４は、商用電源から電力の供給を受ける状態となる。そして、商用電源から電力の供給を受ける状態で、１次電源部４４は、整流や平滑化を行い、複合機１００内に搬送用のローラー対や、各種回転体を回転させるモーター駆動用の電圧など、１又は複数種の直流電圧を生成する（例えば、ＤＣ２４Ｖ）。
【００２３】
（電源管理回路１）
次に、図３を用いて、実施形態に係る電源管理回路１の一例を説明する。図３は、実施形態に係る電源管理回路１の一例を示す図である。
【００２４】
複合機１００（画像形成装置）は、電源管理回路１を含む。電源管理回路１は、例えば、ＡＳＩＣのような集積回路である。電源管理回路１は、内部に、管理制御部１０、モード信号受信部１１、タイミング調整用メモリー１２、計時部１３（カウンター）、状態監視部１４、信号出力部１５などを含む。
【００２５】
モード信号受信部１１は、外部からのモードを指示する信号を受信する回路である。まず、本実施形態の複合機１００では、主電源スイッチ１００ｓが設けられる。主電源スイッチ１００ｓは、複合機１００の側面や正面や操作パネル２ｃに設けられる。そして、主電源スイッチ１００ｓは、主電源のＯＮ（投入）とＯＦＦ（遮断）を行うために使用者によって操作されるスイッチである。主電源スイッチ１００ｓによって複合機１００の主電源が投入されたとき、主電源スイッチ１００ｓとモード信号受信部１１との間の信号線の状態が変化する。これにより、モード信号受信部１１は、主電源ＯＮを通知する主電源ＯＮ信号Ｓ１を受信する。モード信号受信部１１から管理制御部１０に、主電源ＯＮ信号Ｓ１を受信した旨が伝えられる。そして、管理制御部１０は、複合機１００を主電源ＯＮモード（通常モード、主電源ＯＮによる起動処理を行うモード）にすべきと認識する。
【００２６】
また、主電源スイッチ１００ｓによって複合機１００の主電源が落とされたとき、主電源スイッチ１００ｓとモード信号受信部１１との間の信号線の状態が変化する。これにより、モード信号受信部１１は、主電源ＯＦＦを通知する主電源ＯＦＦ信号Ｓ２を受信する。モード信号受信部１１から管理制御部１０に、主電源ＯＦＦ信号Ｓ２を受信した旨が伝えられる。そして、管理制御部１０は、複合機１００を主電源ＯＦＦモードにすべきと認識する。
【００２７】
また、モード信号受信部１１は、外部から、画像形成装置内の給電対象（回路、ＣＰＵ４０、基板、素子、センサーなどのような各種給電対象）のうち、所定の給電対象（供給停止部分）への電力供給を停止させる省電力モードへの移行を指示する移行信号Ｓ３を受信する。モード信号受信部１１から管理制御部１０に、移行信号Ｓ３を受信した旨が伝えられる。そして、管理制御部１０は、複合機１００を省電力モードにすべきと認識する。
【００２８】
ここで、省電力モードへの移行について説明する。省電力モードは、複合機１００のうち予め定められた供給停止部分への電力供給を停止し、待機状態の複合機１００の消費電力を小さくするモードである。そして、例えば、操作パネル２ｃに節電キー２１が設けられる。節電キー２１は、複合機１００の主電源が投入されている状態で、複合機１００を省電力モードに移行させるためのキーである。節電キー２１が操作されると、節電キー２１とモード信号受信部１１との間の信号線の状態が変化する。これにより、モード信号受信部１１は、移行信号Ｓ３を受信する。
【００２９】
また、主制御部４は、所定の省電力モード移行条件が満たされたとき、移行信号Ｓ３をモード信号受信部１１に送る。例えば、主制御部４は、印刷ジョブが終了してから、又は、主電源投入や省電力モードからの復帰に伴う起動完了時点から、操作パネル２ｃなどに対する使用者の操作がないまま予め定められた省電力モード移行時間（例えば、数十秒〜数分、操作パネル２ｃで設定可能）が経過したとき、省電力モード移行条件が満たされたと判断する。そして、主制御部４は、移行信号Ｓ３をモード信号受信部１１に送信する。
【００３０】
また、モード信号受信部１１は、外部から、供給停止部分に対応する電源デバイス５の電力供給の再開（省電力モードの解除、通常モードへの移行）を指示する解除信号Ｓ４を受信する。モード信号受信部１１は、管理制御部１０に、解除信号Ｓ４を受信した旨を伝える。そして、管理制御部１０は、複合機１００の省電力モードを解除し、複合機１００のモードを通常モードにすべきと認識する。通常モードは、供給停止部分への電力供給を再開し、複合機１００の機能（コピー、プリント、スキャン等）を全て使える状態にするモードである。
【００３１】
例えば、操作パネル２ｃの節電キー２１や主電源スイッチ１００ｓが操作されると、各キーとモード信号受信部１１との間の信号線の状態が変化する。これにより、モード信号受信部１１は、解除信号Ｓ４を受信する。また、主制御部４は、所定の省電力モード解除条件が満たされたとき、解除信号Ｓ４をモード信号受信部１１に送る。例えば、主制御部４は、操作パネル２ｃに対する操作や、センサー（不図示）によって原稿搬送部２ｂの開閉や原稿のセットを認識すると、省電力モード解除条件が満たされたと判断する。そして、主制御部４は、解除信号Ｓ４をモード信号受信部１１に送信する。
【００３２】
モード信号受信部１１が受信する信号に基づき、管理制御部１０は、複合機１００のモード（状態）を記憶する。管理制御部１０は、例えば、モードを記憶するためのモードレジスタ１０ａを含む。管理制御部１０は、複合機１００のモードが変更されるたびに、モードレジスタ１０ａの値を更新して、複合機１００の最新の状態を示す値を記憶させる。
【００３３】
タイミング調整用メモリー１２は、通電タイミングデータＤ１と遮断タイミングデータＤ２を記憶する。タイミング調整用メモリー１２は、例えば、不揮発性の半導体メモリーである。なお、レジスタでもよい（この場合、主電源投入時などに記憶部４２から通電タイミングデータＤ１と遮断タイミングデータＤ２を取得する）。尚、通電タイミングデータＤ１と遮断タイミングデータＤ２の詳細は後述する。
【００３４】
計時部１３は、カウンターであり、時間を測るための回路である。計時部１３には、電源管理回路１の内部、又は、外部に設けられるクロック生成回路１３ａにより生成されるクロック信号が入力される。計時部１３は、クロック信号をカウントすることで時間を測る。例えば、計時部１３は、主電源ＯＮ信号Ｓ１、主電源ＯＦＦ信号Ｓ２、移行信号Ｓ３、解除信号Ｓ４の何れかが入力されると、ゼロからカウントを始める。管理制御部１０や状態監視部１４は、計時部１３と通信を行い、カウント値に基づき、各種信号（主電源ＯＮ信号Ｓ１、主電源ＯＦＦ信号Ｓ２、移行信号Ｓ３、解除信号Ｓ４）が入力されてから現時点までの時間を認識する。そして、管理制御部１０は、各種信号が入力されてから、各電源デバイス５について定められた時間が経過すると、対応する電源デバイス５に通電信号Ｓ５又は遮断信号Ｓ６を入力する。
【００３５】
（電源管理回路１の電源デバイス５の制御の概要）
次に、図４を用いて、電源管理回路１の電源デバイス５の制御について説明する。図４は、実施形態に係る複合機１００での電力供給系統の一例を示す図である。
【００３６】
複合機１００内には、複数種の回路、素子、基板といった電力供給（電圧印加）を行うべき給電対象が設けられる。給電対象ごとに印加するのに適切な電圧の大きさは決まっている。実際には更に多いが、便宜上、図４では、給電対象として、主制御部４のＣＰＵ４０、記憶部４２、通信バス４１、オプション給紙装置３ｂなどを例に挙げている。また、原稿搬送部２ｂ、画像読取部２ａ、操作パネル２ｃ、印刷部３の各部、通信部４３、オプション給紙装置３ｂ以外のオプション装置や、これらの部分に含まれる基板や回路が給電対象となり得るが、説明の都合上、図示を省略している。
【００３７】
例えば、図４に示すように、給電対象としてのＣＰＵ４０に対しては、複数種の電圧を入力することが求められる場合がある。図４の例では、ＣＰＵ４０のコア４０ａ用に２種類、ＣＰＵ４０のＩ／Ｏ回路４０ｂ用に１種類、計３種類の電圧をＣＰＵ４０に印加、入力する例を示している。尚、ＣＰＵ４０の種類によっては、４種類以上の電圧値の入力が求められる場合もある。また、例えば、図４に示すように、記憶部４２の半導体メモリー（例えば、ＲＡＭ４２ｂのメモリーチップ４２ｄ、メモリーチップ４２ｄのコントローラー、メモリーチップ４２ｄの動作の設定用レジスタ４２ｅなどを含む）には、２種類以上の電圧値を入力することが必要な場合もある。図４の例では、半導体メモリーの電源電圧と参照用の電圧の２種類を記憶部４２に入力する例を示している。尚、記憶部４２のＨＤＤ４２ｃなどを考慮すると、３種類以上の電圧値を、記憶部４２に入力する必要がある場合もある。このように、生成すべき電圧値の種類数や大きさは、用いる給電対象によって異なる。
【００３８】
これらの給電対象への電力供給のＯＮ／ＯＦＦ（電力の供給と電力供給の停止）を行うために電源デバイス５が設けられる。電源デバイス５は、ＤＣＤＣコンバーター６やＦＥＴ７（トランジスタ）である。
【００３９】
仕様上求められる大きさの電圧を各給電対象に入力するために、ＤＣＤＣコンバーター６が電源デバイス５として設けられる。各ＤＣＤＣコンバーター６は、１次電源部４４が生成する電圧を降圧するなどして、所定の電圧を出力する。図４に示す例では、ＣＰＵ４０に入力する電圧を生成し、ＣＰＵ４０に電力供給を行う電源デバイス５として、第１ＤＣＤＣコンバーター６１、第２ＤＣＤＣコンバーター６２、第３ＤＣＤＣコンバーター６３を設ける例を示している。各ＤＣＤＣコンバーター６が生成する電圧の大きさは異なる。また、図４では、記憶部４２に入力する電圧を生成し、記憶部４２に電力供給を行う電源デバイス５として、第４ＤＣＤＣコンバーター６４、第５ＤＣＤＣコンバーター６５を設ける例を示している。また、更に、図示しない給電対象に適切な大きさの電圧値を入力するため、６つ以上のＤＣＤＣコンバーター６を設けてもよい（図４では、第ｎＤＣＤＣコンバーターとして図示）。
【００４０】
また、各ＤＣＤＣコンバーター６が生成する電圧を分岐し、他の給電対象に入力する場合には、分岐された電源ライン上にＦＥＴ７（トランジスタの一種）が設けられる。このＦＥＴ７も電源デバイス５として設けられる。言い換えると、ＤＣＤＣコンバーター６に複数の給電対象を並列に接続するとき、給電対象の上流側にＦＥＴ７が設けられる。このＦＥＴ７のＯＮ／ＯＦＦにより、ＦＥＴ７に接続される給電対象への電力の供給とその停止を制御することができる。
【００４１】
図４では、第１ＤＣＤＣコンバーター６１の出力を分岐し、通信バス４１に入力する電源ライン上に第１ＦＥＴ７１を設ける例を示している。また、図４では、第２ＤＣＤＣコンバーター６２の出力を分岐し、オプション給紙装置３ｂに電力供給を行う電源ライン上に第２ＦＥＴ７２を設け、第１ＤＣＤＣコンバーター６１の出力を分岐し、オプション給紙装置３ｂに電力供給を行う電源ライン上に第３ＦＥＴ７３を設ける例を示している。また、設けるＦＥＴ７の数は、３つとは限られず、実際には、更に多くのＦＥＴ７がとして設けられる（図４では、第ｎＦＥＴとして図示）。
【００４２】
電源管理回路１の信号出力部１５は、各ＤＣＤＣコンバーター６や各ＦＥＴ７に対して通電信号Ｓ５と遮断信号Ｓ６を出力する。給電対象に電力供給を行うモードでは、信号出力部１５は、各ＤＣＤＣコンバーター６に対しては、駆動して電圧生成を行うべき旨の信号を、ＦＥＴ７に対しては、ＦＥＴ７を導通（ＯＮ）すべき旨の信号を通電信号Ｓ５として出力する。一部の給電対象への電力供給を停止するモードでは、信号出力部１５は、各ＤＣＤＣコンバーター６に対しては、駆動を停止して電圧生成を行わない旨の信号を、ＦＥＴ７に対しては、ＦＥＴ７を遮断（ＯＦＦ）すべき旨の信号を遮断信号Ｓ６として出力する。
【００４３】
（主電源ＯＮ時の電源管理回路１による各電源デバイス５のＯＮ制御）
次に、図４、図５を用いて、主電源のＯＮ時の電源管理回路１による各電源デバイス５のＯＮ制御を説明する。図５は、実施形態に係る通電タイミングデータＤ１の一例を示す図である。
【００４４】
例えば、ＣＰＵ４０のコア４０ａに電圧を印加していない状態で、ＣＰＵ４０のＩ／Ｏに電圧を印加するとコア４０ａに向けて電流が流れ、好ましくない場合がある。また、ＲＡＭ４２ｂのようなメモリーでは、参照用の電圧を入力すべきあるタイミングが定められいる場合もある。また、電源デバイス５のＯＮを不適切な順序で行うと、電力供給がなされていない状態では電流が流れ込むと故障する部分に、既に電力供給がなされている部分から電流が流れ込む場合もある。
【００４５】
また、電源デバイス５のＯＮの順序に配慮しても、主電源がＯＮされたとき、各ＤＣＤＣコンバーター６のＯＮ間隔が短いと、後の順序のＤＣＤＣコンバーター６の出力が先に前の順序のＤＣＤＣコンバーター６より大きくなり、結果として、守るべき順序どおりに、給電対象に電圧が印加されない場合がある。
【００４６】
そこで、本実施形態の複合機１００では、回路、素子、基板といった給電対象で故障やエラーといった問題が生じないように、給電対象に電力を供給する順序とタイミングが定められる。言い換えると、主電源がＯＮされたとき、電源デバイス５をＯＮする順序とタイミングが予め定められる。
【００４７】
具体的に、図５に示すような通電タイミングデータＤ１が定められ、タイミング調整用メモリー１２に記憶される。通電タイミングデータＤ１は、主電源ＯＮ信号Ｓ１を受信したとき、電源デバイス５に電力供給を行わせる順序（電源デバイス５のＯＮの順序）と主電源ＯＮ信号Ｓ１を受信したときから電源デバイス５をＯＮする旨の通電信号Ｓ５を出すまでの第１所要時間を、それぞれの電源デバイス５に対して定めたデータである。
【００４８】
計時部１３は、主電源ＯＮ信号Ｓ１を受信したときから計時（カウント）を開始する。そして、通電タイミングデータＤ１では、各電源デバイス５について主電源ＯＮ信号Ｓ１を受信して計時を開始した時点から、電源デバイス５のＯＮを指示する通電信号Ｓ５を信号出力部１５から出力するまでの時間（カウント値）が定められている。そして、管理制御部１０は、主電源ＯＮ信号Ｓ１をモード信号受信部１１が受信したとき、計時部１３の計時に基づき、信号出力部１５に、通電タイミングデータＤ１に定められた順序と時間で、それぞれの電源デバイス５に向け通電信号Ｓ５を出力させる。
【００４９】
図５は、主制御部４のＣＰＵ４０から、次いで、記憶部４２に電力供給を行う形式の通電タイミングデータＤ１を例示している。図５の通電タイミングデータＤ１では、上側の行の電源デバイス５から通電信号Ｓ５を出力していくことが定められている（Ｃ１１＜Ｃ１２＜Ｃ１３＜Ｃ１４・・・＜Ｃ１ｎの関係）。そして、各ＤＣＤＣコンバーター６や各ＦＥＴ７の出力の立ち上がりに要する時間などを考慮して、各電源デバイス５の第１所要時間が定められる。第１所要時間は、計時部１３のカウント値で定められ、主電源ＯＮ信号Ｓ１の受信から通電信号Ｓ５を出力する時間に相当するカウント値が定義される。例えば、各電源デバイス５のＯＮの間隔は、数十ミリ秒から数百ミリ秒の範囲で設定される。
【００５０】
（主電源のＯＦＦ時の電源管理回路１による各電源デバイス５のＯＦＦ制御）
次に、図４、図６を用いて、主電源のＯＦＦ時の電源管理回路１による各電源デバイス５のＯＦＦ制御を説明する。図６は、実施形態に係る遮断タイミングデータＤ２の一例を示す図である。
【００５１】
例えば、主電源のＯＦＦがなされたとき、主制御部４は、記憶部４２の不揮発性メモリーに、予め定められたデータ（例えば、履歴やメンテナンスに用いるデータ）を記憶させる。主電源のＯＦＦがなされたとき、最初に記憶部４２への電力供給を停止すると、データの記憶を完遂できない場合がある。また、電力供給を停止する場合でも、各電源デバイス５のＯＦＦを不適切な順序で行うと、電圧が印加されていない状態で電流が流れ込むと故障する部分にまだ電力が供給されている部分から電流が流れ込む場合もある。
【００５２】
また、各電源デバイス５のＯＦＦの順序に配慮しても、各ＤＣＤＣコンバーター６の駆動停止間隔が短すぎると、ＤＣＤＣコンバーター６内のコンデンサーやコイルによって、蓄えるエネルギーの差によって、先に駆動を停止させたＤＣＤＣコンバーター６の出力が十分に小さくなる前に、後に駆動が停止されたＤＣＤＣコンバーター６の出力電圧がグランドに到る場合もある。
【００５３】
そこで、本実施形態の複合機１００では、回路、素子、基板といった給電対象で故障やエラーといった問題が生じないように、給電対象への電力供給を停止する順序と、タイミングが定められる。言い換えると、主電源がＯＦＦされたとき、各電源デバイス５をＯＦＦする順序とタイミングが予め定められる。
【００５４】
具体的に、図６に示すような遮断タイミングデータＤ２が定められ、タイミング調整用メモリー１２に記憶される。遮断タイミングデータＤ２は、主電源ＯＦＦ信号Ｓ２を受信したとき、電源デバイス５を停止させる順序と主電源ＯＦＦ信号Ｓ２を受信したときから電源デバイス５をＯＦＦする旨の遮断信号Ｓ６を出すまでの第２所要時間を、それぞれの電源デバイス５に対して定めたデータである。
【００５５】
計時部１３は、主電源ＯＦＦ信号Ｓ２を受信したときから計時（カウント）を開始する。そして、遮断タイミングデータＤ２では、各電源デバイス５について主電源ＯＦＦ信号Ｓ２を受信して計時を開始した時点から電源デバイス５をＯＦＦさせるために遮断信号Ｓ６を信号出力部１５から出力するまでの時間（カウント値）が定められている。そして、管理制御部１０は、主電源ＯＦＦ信号Ｓ２をモード信号受信部１１が受信したとき、計時部１３の計時に基づき、信号出力部１５に、遮断タイミングデータＤ２に定められた順序と時間で、それぞれの電源デバイス５に向け遮断信号Ｓ６を出力させる。
【００５６】
図６は、主電源ＯＮ時とは逆順で電力供給を停止させていく形式の遮断タイミングデータＤ２を例示している。図６の遮断タイミングデータＤ２では、上側の行に定義された電源デバイス５から遮断信号Ｓ６を出力していくことが定められる。そして、各ＤＣＤＣコンバーター６の出力の立ち下がりに要する時間などを考慮して、各電源デバイス５の第２所要時間が定められる。第２所要時間も、計時部１３のカウント値として定められ、主電源ＯＦＦ信号Ｓ２の受信から遮断信号Ｓ６を出力する時間に相当するカウント値が定義される。例えば、各電源デバイス５のＯＦＦの間隔は、数十ミリ秒から数百ミリ秒の範囲で設定される。
【００５７】
（省電力モード解除時の電源管理回路１による各電源デバイス５のＯＮ制御）
次に、図４、図５を用いて、省電力モード解除時の電源管理回路１による各電源デバイス５のＯＮ制御を説明する。図５は、実施形態に係る通電タイミングデータＤ１の一例を示す図である。
【００５８】
省電力モードでは、複合機１００の給電対象のうち、予め定められた供給停止部分への電力供給が停止される。そして、省電力モードが解除されると、供給停止部分への電力供給が再開される。そして、複合機１００は通常モードとなる。この省電力モードから通常モードへの復帰のとき、電力供給の再開を不適切な順序で行うと、電力供給がまだ再開されていない部分に、不要な電流が流れこむ場合がある。また、通常モードへの復帰の時でも、供給停止部分に対応する電源デバイス５をＯＮする間隔は問題が生じないように確保されなくてはならない。
【００５９】
そこで、本実施形態の複合機１００では、省電力モードが解除されたときも、何れかの給電対象で故障やエラーといった問題が生じないように、各供給停止部分に電力供給を再開する順序とタイミングが定められる。言い換えると、省電力モードから通常モードに遷移するとき、供給停止部分に電力供給を再開する電源デバイス５のＯＮの順序とタイミングが予め定められる。
【００６０】
具体的に、図５に示すように、通電タイミングデータＤ１では、解除信号Ｓ４を受信したとき、所定の電源デバイス５（供給停止部分に対応する電源デバイス５）に電力供給を再開させる順序と、解除信号Ｓ４を受信したときから供給停止部分に対応する電源デバイス５に通電信号Ｓ５を出すまでの第３所要時間が、電力供給を停止していた電源デバイス５のそれぞれについて定められる。
【００６１】
計時部１３は、解除信号Ｓ４を受信したときから計時（カウント）を開始する。そして、通電タイミングデータＤ１では、各電源デバイス５について、解除信号Ｓ４を受信して計時を開始した時点から、供給停止部分に対応し、電力供給を再開させる電源デバイス５をＯＮさせるために通電信号Ｓ５を信号出力部１５から出力するまでの時間（カウント値）が定められている。そして、管理制御部１０は、解除信号Ｓ４をモード信号受信部１１が受信したとき、計時部１３の計時に基づき、通電タイミングデータＤ１に定められた順序と時間にあわせ、それぞれの電力供給を停止していた電源デバイス５に向け通電信号Ｓ５を信号出力部１５に出力させる。
【００６２】
ここで、本実施形態の複合機１００では、省電力モードに移行しても、ＣＰＵ４０やメモリーは低電力状態で駆動を続け、電力供給は停止されない。そのため、電源管理回路１は、第１ＤＣＤＣコンバーター６１〜第５ＤＣＤＣコンバーター６５は、駆動を続けさせる。一方、省電力モードでは、オプション給紙装置３ｂなどへの電力供給は停止される。そのため、図５は、省電力モードを解除するとき、ＣＰＵ４０や記憶部４２は供給停止部分ではないので、主に、各ＦＥＴ７をＯＮしていく内容の通電タイミングデータＤ１を例示している。
【００６３】
（省電力モード移行時の電源管理回路１による各電源デバイス５のＯＦＦ制御）
次に、図４、図６を用いて、省電力モード移行時の電源管理回路１による各電源デバイス５のＯＦＦ制御を説明する。図６は、実施形態に係る遮断タイミングデータＤ２の一例を示す図である。
【００６４】
省電力モードでは、複合機１００のうち、予め定められた供給停止部分への電力供給が停止される。この通常モードから省電力モードへの移行のとき、供給停止部分への電力供給の停止を不適切な順序で行うと、電力供給が停止された給電対象に不要な電流が流れこんでしまう場合がある。
【００６５】
そこで、本実施形態の複合機１００では、各給電対象で故障やエラーといった問題が生じないように、省電力モードに移行するときについても、各供給停止部分への電力供給を停止する順序とタイミングが定められる。言い換えると、通常モードから通省電力モードに遷移するとき、供給停止部分に対応する電源デバイス５のＯＦＦの順序とタイミングが予め定められる。
【００６６】
具体的に、図６に示すように、遮断タイミングデータＤ２では、移行信号Ｓ３を受信したとき、所定の電源デバイス５（供給停止部分に対応する電源デバイス５）に電力供給を停止させる順序（ＯＦＦする順序）と、移行信号Ｓ３を受信したときから遮断信号Ｓ６を出すまでの第４所要時間が、供給停止部分に対応する電源デバイス５のそれぞれについて定められる。
【００６７】
計時部１３は、移行信号Ｓ３を受信したときから計時（カウント）を開始する。そして、遮断タイミングデータＤ２では、移行信号Ｓ３を受信して計時を開始した時点から、電源デバイス５をＯＦＦさせるために遮断信号Ｓ６を信号出力部１５から出力するまでの時間が、カウント値として定められる。そして、管理制御部１０は、移行信号Ｓ３をモード信号受信部１１が受信したとき、計時部１３の計時と遮断タイミングデータＤ２に定められた順序と時間にあわせ、電力供給を停止させるそれぞれの電源デバイス５に向けての遮断信号Ｓ６を信号出力部１５に出力させる。
【００６８】
ここで、本実施形態の複合機１００では、省電力モードに移行しても、ＣＰＵ４０やメモリーは低電力状態で駆動を続け、電力供給は停止されない。そのため、電源管理回路１は、第１ＤＣＤＣコンバーター６１〜第５ＤＣＤＣコンバーター６５は、駆動を続けさせる。一方、省電力モードでは、オプション給紙装置３ｂなどへの電力供給は停止される。そのため、図６に示す遮断タイミングデータＤ２では、省電力モードで電力供給が続けられる部分に対応する電源デバイス５に対しては、第４所要時間は定められない。
【００６９】
（電源デバイス５の出力の監視）
次に、図７〜図９を用いて、実施形態に係る電源管理回路１での各電源デバイス５の出力の監視を説明する。図７は、実施形態に係る電源管理回路１での状態監視部１４の一例を示す図である。図８は、実施形態に係る期待値の一例を示す図である。図９は、ＤＣＤＣコンバーター６の出力の立ち上がりの一例を示す図である。
【００７０】
図７に示すように、電源管理回路１には、各電源デバイス５の出力電圧の大きさを認識する状態監視部１４が設けられる。状態監視部１４には、それぞれの電源デバイス５の出力が入力される。そして、状態監視部１４は、例えば、Ａ／Ｄ変換部１４ａを含み、それぞれの電源デバイス５の状態（出力電圧値の大きさ）を認識する。
【００７１】
そして、図８に示すように、状態監視部１４は、ＯＮされたときの各電源デバイス５の出力電圧値の期待値を定めた期待値データＤ３を記憶し、保持している。状態監視部１４は、内部に設けられる不揮発メモリーに期待値データＤ３を記憶してもよい。あるいは、期待値データＤ３をタイミング調整用メモリー１２に不揮発的に記憶させておき、状態監視部１４は、期待値データＤ３をタイミング調整用メモリー１２から取得し、内部のレジスタやメモリーに保持するようにしてもよい。
【００７２】
期待値は、各電源デバイス５の適切な出力電圧値の範囲（電源デバイス５に接続される各給電対象の仕様上の入力電圧範囲）として定められる。あるいは、期待値は、電源デバイス５の出力電圧値として、許容できる最低値として定めても良い。状態監視部１４は、期待値データＤ３の値と、各電源デバイス５の出力電圧値とを比較する。そして、状態監視部１４は、ＯＮ状態の電源デバイス５の出力電圧値が期待値になっているか否かを認識する。
【００７３】
ここで、ＤＣＤＣコンバーター６は接続される負荷（出力先）により、出力電圧の立ち上がり速度に差がでる。例えば、オプション装置が増設されると、オプション装置に電力を供給するＤＣＤＣコンバーター６の出力電圧値の立ち上がりは、負荷容量の増加によって、増設前に比べて遅くなる。例えば、オプション給紙装置３ｂは、複数段重ねて増設可能であるところ、オプション給紙装置３ｂが一気に複数段増設されたとき、オプション給紙装置３ｂに電力供給を行うＤＣＤＣコンバーター６（図４の例では、第２ＤＣＤＣコンバーター６２、第３ＤＣＤＣコンバーター６３）の出力電圧値が期待値に到るまでの時間は、増設前よりも長くなる。
【００７４】
図９のグラフの縦軸は、ＤＣＤＣコンバーター６の出力電圧値、横軸は時間を示す。そして、Ｖ０は、期待値の一例を示す。また、Ｔ０は、ＤＣＤＣコンバーター６に通電信号Ｓ５が入力された時点を示す。Ｔ１は、ある負荷のときのＤＣＤＣコンバーター６の出力電圧値が期待値に到達する時点の一例を示す。Ｔ２は、Ｔ１のときよりもＤＣＤＣコンバーター６に接続される給電対象の負荷容量が大きいときのＤＣＤＣコンバーター６の出力電圧値が期待値に到達する時点の一例を示す。Ｔ２の時点は、Ｔ１の時点よりも遅い。
【００７５】
ここで、ＤＣＤＣコンバーター６の出力電圧値が期待値に到達するまでの時間が長くなる方向に変動すると、通電タイミングデータＤ１に沿って通電信号Ｓ５を出力した場合、期待値に到る前の時点で、次の順序の電源デバイス５のＯＮ（通電信号Ｓ５の出力）がなされる場合がある（図９では、この時点の一例をＴ３で示している）。そのため、給電対象への電圧印加が順序通りになされない場合は生じ得る。順序通りに電圧を印加するには、図９のグラフでのＴ２とＴ３の時間差Ｔｄだけ、次の順序の電源デバイス５に通電信号Ｓ５を出力する時点を遅らせる必要がある。
【００７６】
そこで、状態監視部１４は、図８に示すような電源デバイス５の出力の期待値をそれぞれの電源デバイス５について定めた期待値データＤ３を保持する。そして、主電源ＯＮ信号Ｓ１を受信したことによる複合機１００の起動時や、解除信号Ｓ４を受信したことによる通常モードへの復帰時、状態監視部１４は、次の順序の電源デバイス５への通電信号Ｓ５を出力すべき時点である予定時点までに、現在の順序の電源デバイス５（通電信号Ｓ５の入力を開始した電源デバイス５のうち、通電信号Ｓ５を入力してからの時間が最も短い電源デバイス５）が期待値になっているか否かを監視する。状態監視部１４は、通電タイミングデータＤ１から次の電源デバイス５に通電信号Ｓ５を出力するまでの時間を認識し、予定時点を把握できる。そのため、状態監視部１４は、タイミング調整用メモリー１２の記憶内容を確認してもよいし、タイミング調整用メモリー１２から通電タイミングデータＤ１を取得し、内部のレジスタやメモリーに保持するようにしてもよい。
【００７７】
そして、予定時点までに現在の順序の電源デバイス５が期待値になっているとき、状態監視部１４は、その旨を管理制御部１０に伝える。この場合、管理制御部１０は、信号出力部１５に、通電タイミングデータＤ１に基づいて（通電タイミングデータＤ１どおりに）次の順序の電源デバイス５に向けて、通電信号Ｓ５を出力させる。
【００７８】
一方、予定時点までに現在の順序の電源デバイス５が期待値になっていないとき、状態監視部１４は、その旨を管理制御部１０に伝える。この場合、管理制御部１０は、期待値になるまで次の順序以降の電源デバイス５に通電信号Ｓ５を出力する時間を信号出力部１５に延長させる。そして、管理制御部１０は、現在の順序の電源デバイス５が期待値になった旨の通知を状態監視部１４から受けてから、次の順序の電源デバイス５への通電信号Ｓ５を信号出力部１５に出力させる。また、管理制御部１０は、次の次の順序以降の電源デバイス５に対しては、通電タイミングデータＤ１に定められた時間よりも、少なくとも延長した時間分遅らせて、通電信号Ｓ５を信号出力部１５に出力させる。
【００７９】
（通電タイミングデータＤ１の調整）
次に、図１０を用いて、通電タイミングデータＤ１の調整を説明する。図１０は調整後の通電タイミングデータＤ１の一例を示す図である。
【００８０】
上述のように、電源デバイス５の出力電圧は、給電対象の増設、変更などによる負荷の容量変化（増加）、環境温度などの影響を受ける。そのため、出力電圧値が期待値まで上昇するのに要する時間が変化することがある。そこで、管理制御部１０は、遅延があったとき、通電タイミングデータＤ１の調整を行い、調整後の通電タイミングデータＤ１をメモリーに書き換えさせる。
【００８１】
具体的に、主電源ＯＮ信号Ｓ１の受信に基づいて通電信号Ｓ５を出力していく間に延長したとき、管理制御部１０は、通電信号Ｓ５の入力が遅らされた全ての電源デバイス５の第１所要時間に、延長した時間分を加算して通電タイミングデータＤ１をメモリーに書き換えさせる。言い換えると、主電源ＯＮに伴う起動時に延長があったとき、管理制御部１０は、通電タイミングデータＤ１のうち、通電信号Ｓ５の入力が遅らされた全ての電源デバイス５の第１所要時間について定めた部分を書き換えさせる。
【００８２】
図１０では、第２ＤＣＤＣコンバーター６２以降の順序の電源デバイス５への通電信号Ｓ５の入力を、時間αだけ遅らせた場合に管理制御部１０による調整がなされた後の通電タイミングデータＤ１の一例を示している。時間αは、第２ＤＣＤＣコンバーター６２の通電信号Ｓ５入力の予定時点と、第１ＤＣＤＣコンバーター６１の出力電圧値が期待値になった時点の時間差（予め定められたマージンを加えてもよい）とすることができる。
【００８３】
また、解除信号Ｓ４の受信に基づいて通電信号Ｓ５を出力していく間に延長したとき、管理制御部１０は、供給停止部分に対応する電源デバイス５の第３所要時間であって、通電信号Ｓ５の入力が遅らされた全ての電源デバイス５の第３所要時間に、延長した時間分を加算して通電タイミングデータＤ１のうち、第３所要時間を定めた部分をメモリーに書き換えさせる。
【００８４】
図１０では、通常モードへの復帰のとき、例えば、第２ＦＥＴ７２での出力電圧値の立ち上がりの遅延のため、第２ＦＥＴ７２の次の順序以降の電源デバイス５への通電信号Ｓ５の入力を時間βだけ遅らせた場合に、管理制御部１０による調整がなされた後の通電タイミングデータＤ１の一例を示している。時間βは、第２ＦＥＴ７２の次の順序の電源デバイス５への通電信号Ｓ５入力の予定時点と、第２ＦＥＴ７２の出力電圧値が期待値になった時点の時間差（予め定められたマージンを加えてもよい）とすることができる。
【００８５】
（異常時の全電源デバイス５の停止）
次に、図１１を用いて、異常検出時の全電源デバイス５の停止について説明する。図１１は許容時間データＤ４の一例を示す図である。
【００８６】
状態監視部１４は、各電源デバイス５の出力電圧値を認識するところ、電源デバイス５に通電信号Ｓ５を送信しても、電源デバイス５の出力電圧値がいつまでたっても期待値に到達しない場合がある。その原因としては、電源デバイス５に接続される信号線（配線）の異常や、電源デバイス５自体の故障などが考えられる。このような場合、電源管理回路１が通電信号Ｓ５の出力を遅延させ続けても無駄となる。
【００８７】
そこで、状態監視部１４は、通電信号Ｓ５の入力（信号出力部１５からの通電信号Ｓ５の出力から）から電源デバイス５の出力が期待値となるまでの許容時間を、それぞれの電源デバイス５について定めた許容時間データＤ４を保持する。図１１は、許容時間データＤ４の一例を示す。状態監視部１４は、内部に設けられる不揮発メモリーに許容時間データＤ４を記憶してもよい。あるいは、許容時間データＤ４をタイミング調整用メモリー１２に不揮発的に記憶させておき、状態監視部１４は、許容時間データＤ４をタイミング調整用メモリー１２から取得し、内部のレジスタやメモリーに保持するようにしてもよい。
【００８８】
状態監視部１４は、通電信号Ｓ５の入力から許容時間までに出力が期待値とならない電源デバイス５を認識し、認識結果を管理制御部１０に通知する。管理制御部１０は、通知（許容時間までに出力が期待値とならない異常の通知）に基づき、全ての電源デバイス５に対し、遮断信号Ｓ６を信号出力部１５に出力させる。この場合、管理制御部１０は、ＯＮされている電源デバイス５のうち、遮断タイミングデータＤ２で最も先の電源デバイス５から遮断信号Ｓ６を出力させる。そして、管理制御部１０は、遮断タイミングデータＤ２に定められた順序で、ＯＮ状態の電源デバイス５に対し、遮断信号Ｓ６を出力してゆく。
【００８９】
このようにして、本実施形態に係る電源管理回路１は、外部からの主電源ＯＮを通知する主電源ＯＮ信号Ｓ１と、主電源ＯＦＦを通知する主電源ＯＦＦ信号Ｓ２を受信するモード信号受信部１１と、モード信号受信部１１が主電源ＯＮ信号Ｓ１を受信したときから、及び、主電源ＯＦＦ信号Ｓ２を受信したときから計時を開始する計時部１３と、画像形成装置（複合機１００）内に設けられる給電対象（ＣＰＵ４０、記憶部４２、通信バス４１、オプション給紙装置３ｂなど）への電力供給と停止を切り替え可能な複数の電源デバイス５（ＤＣＤＣコンバーター６、ＦＥＴ７）と接続され、各電源デバイス５に信号を出力する信号出力部１５と、主電源ＯＮ信号Ｓ１を受信したとき、電源デバイス５に電力供給を行わせる順序と主電源ＯＮ信号Ｓ１を受信したときから電源デバイス５をＯＮする旨の通電信号Ｓ５を出すまでの第１所要時間を、それぞれの電源デバイス５に対して定めた通電タイミングデータＤ１と、主電源ＯＦＦ信号Ｓ２を受信したとき、電源デバイス５に電力供給を停止させる順序と、主電源ＯＦＦ信号Ｓ２を受信したときから電源デバイス５をＯＦＦする旨の遮断信号Ｓ６を出すまでの第２所要時間を、それぞれの電源デバイス５に対して定めた遮断タイミングデータＤ２と、を記憶するメモリー（タイミング調整用メモリー１２）と、主電源ＯＮ信号Ｓ１をモード信号受信部１１が受信したとき、計時部１３の計時に基づき、信号出力部１５に、通電タイミングデータＤ１に定められた順序と時間で、それぞれの電源デバイス５に向け通電信号Ｓ５を出力させ、主電源ＯＦＦ信号Ｓ２をモード信号受信部１１が受信したとき、計時部１３の計時に基づき、信号出力部１５に、遮断タイミングデータＤ２に定められた順序と時間でそれぞれの電源デバイス５に向け遮断信号Ｓ６を出力させる管理制御部１０と、を含む。
【００９０】
これにより、１つの計時部１３の計時に基づき、電源デバイス５（ＤＣＤＣコンバーター６、ＦＥＴ７）のＯＮ／ＯＦＦを行うことができる。言い換えると、全ての電源デバイス５に対し、共通の計時部１３で時間をカウントし、共通の時間を基準として各電源デバイス５に向けて通電信号Ｓ５と遮断信号Ｓ６を出力することができる。そのため、予め定められた問題のない順序とタイミングに沿って、正確に、各電源デバイス５のＯＮ／ＯＦＦ（電力の供給と停止）を指示することができる。しかも、電力供給系統ごとに遅延回路を設ける必要がなくなり、装置の回路構成を簡易なものとでき、製造コストを抑えることができる場合がある。
【００９１】
又、モード信号受信部１１は、外部から、画像形成装置（複合機１００）のうち予め定められた供給停止部分への電力供給を停止させる省電力モードへの移行を指示する移行信号Ｓ３と、省電力モードを解除し供給停止部分への電力供給の再開を指示する解除信号Ｓ４を受信し、計時部１３は、モード信号受信部１１が移行信号Ｓ３を受信したときから、及び、解除信号Ｓ４を受信したときから計時を開始し、メモリー（タイミング調整用メモリー１２）は、解除信号Ｓ４を受信したとき、供給停止部分に対応する電源デバイス５（ＤＣＤＣコンバーター６、ＦＥＴ７）に電力供給を行わせる順序と、解除信号Ｓ４を受信したときから停止状態の電源デバイス５に通電信号Ｓ５を出すまでの第３所要時間を、供給停止部分に対応する電源デバイス５のそれぞれについて定めた通電タイミングデータＤ１と、移行信号Ｓ３を受信したとき、供給停止部分に対応する電源デバイス５の電力供給を停止させる順序と、供給停止部分に対応する電源デバイス５のそれぞれについて、移行信号Ｓ３を受信したときから遮断信号Ｓ６を出すまでの第４所要時間を定めた遮断タイミングデータＤ２と、を記憶し、管理制御部１０は、解除信号Ｓ４をモード信号受信部１１が受信したとき、計時部１３の計時に基づき、信号出力部１５に、通電タイミングデータＤ１に定められた順序と時間で、供給停止部分に対応する電源デバイス５に向け通電信号Ｓ５を出力させ、移行信号Ｓ３をモード信号受信部１１が受信したとき、計時部１３の計時に基づき、信号出力部１５に、遮断タイミングデータＤ２に定められた順序と時間で供給停止部分に対応する電源デバイス５に向け遮断信号Ｓ６を出力させる。
【００９２】
これにより、主電源のＯＮ／ＯＦＦだけでなく、主電源のＯＮとＯＦＦの間になされる省電力モードへの移行と省電力モードの解除（通常モードへの復帰）でも、省電力モードで電力供給が停止される供給停止部分に対応する電源デバイス５（ＤＣＤＣコンバーター６、ＦＥＴ７）に対し、共通の計時部１３で時間をカウントし、共通の時間を基準として、通電信号Ｓ５と遮断信号Ｓ６を出力することができる。従って、省電力モードに移行するとき、予め定められた問題のない順序とタイミングに沿って、正確に、供給停止部分に対応する電源デバイス５のＯＦＦ（供給停止）を指示することができる。また、省電力モードの解除のとき、予め定められた問題のない順序とタイミングに沿って、正確に、供給停止部分に対応する電源デバイス５のＯＮ（供給再開）を指示することができる。
【００９３】
又、状態監視部１４は、それぞれの電源デバイス５（ＤＣＤＣコンバーター６、ＦＥＴ７）の出力が入力され、それぞれの電源デバイス５の状態を認識する。状態監視部１４は、電源デバイス５の出力の期待値をそれぞれの電源デバイス５について定めた期待値データＤ３を保持するとともに、次の順序の電源デバイス５への通電信号Ｓ５を出力すべき時点である予定時点までに、現在の順序の電源デバイス５が期待値になっているか否かを監視し、管理制御部１０は、予定時点までに現在の順序の電源デバイス５が期待値になっていると状態監視部１４が認識したとき、通電タイミングデータＤ１に基づき次の順序の電源デバイス５に通電信号Ｓ５を出力させ、予定時点までに現在の順序の電源デバイス５が期待値になっていないと状態監視部１４が認識したとき、期待値になるまで次以降の順序の電源デバイス５に通電信号Ｓ５を出力する時間を延長させる。
【００９４】
電源デバイス５（ＤＣＤＣコンバーター６、ＦＥＴ７）の負荷（ＣＰＵ４０、記憶部４２、通信バス４１、オプション給紙装置３ｂなどのような給電対象）が交換された場合や、電源デバイス５に接続される負荷の増設があった場合、負荷容量の増大などにより、電源デバイス５の出力電圧の立ち上がりが今までよりも遅れる場合がある。このような場合、立ち上がりが遅くなった電源デバイス５の出力電圧値が十分に大きくなる前に、次の順序の電源デバイス５をＯＮしてしまうと、給電対象への電力供給順（電圧印加順）がずれる場合がある。しかし、電源デバイス５の出力値の立ち上がり状態にあわせ、通電信号Ｓ５を出力する時間を延長させるので、電源デバイス５の出力の立ち上がりの遅れに対応しつつ、順序どおりに、各電源デバイス５をＯＮさせてゆくことができる。従って、給電対象への電圧印加順に起因する異常やエラーは、生じなくなる。
【００９５】
又、管理制御部１０は、主電源ＯＮ信号Ｓ１の受信に基づいて通電信号Ｓ５を出力していく間に延長したとき、通電信号Ｓ５の入力が遅らされた全ての電源デバイス５（ＤＣＤＣコンバーター６、ＦＥＴ７）の第１所要時間に延長した時間分を加算して、通電タイミングデータＤ１のうち、通電信号の入力が遅らされた全ての電源デバイス５の第１所要時間をメモリー（タイミング調整用メモリー１２）に書き換えさせ、又は、解除信号Ｓ４の受信に基づいて通電信号Ｓ５を出力していく間に延長したとき、供給停止部分に対応する電源デバイス５の第３所要時間であって、通電信号Ｓ５の入力が遅らされた全ての電源デバイス５の第３所要時間に延長した時間分を加算して、通電タイミングデータＤ１のうち通電信号の入力が遅らされた全ての電源デバイス５の第３所要時間をメモリーに書き換えさせる。
【００９６】
これにより、各電源デバイス５（ＤＣＤＣコンバーター６、ＦＥＴ７）に接続される現在の負荷にあわせ、予め定められた順序で問題無く給電対象（ＣＰＵ４０、記憶部４２、通信バス４１、オプション給紙装置３ｂなど）に電力が供給されるように、通電タイミングデータＤ１を補正、調整することができる。
【００９７】
又、状態監視部１４は、通電信号Ｓ５の入力から電源デバイス５（ＤＣＤＣコンバーター６、ＦＥＴ７）の出力が期待値となるまでの許容時間を、それぞれの電源デバイス５について定めた許容時間データＤ４を保持し、許容時間までに出力が期待値とならない電源デバイス５を認識したとき、全ての電源デバイス５に対し、遮断信号Ｓ６を信号出力部１５に出力させる。
【００９８】
これにより、何れかの電源デバイス５（ＤＣＤＣコンバーター６、ＦＥＴ７）に異常があると認められるときには、各電源デバイス５をＯＦＦとし、各電源デバイス５や各電源デバイス５に接続された給電対象（ＣＰＵ４０、記憶部４２、通信バス４１、オプション給紙装置３ｂなど）を保護することができる。また、適切に動作できない状態で無駄な電力が消費されることを防ぐことができる。
【００９９】
又、画像形成装置（複合機１００）は、実施形態に係る電源管理回路１を含む。これにより、１つの計時部１３の計時に基づき、予め定められた順序で正確に、電源デバイス５（ＤＣＤＣコンバーター６、ＦＥＴ７）のＯＮ／ＯＦＦが行われる。そのため、問題が生ずることなく、滑らかに起動、電源ＯＦＦ、モード間の遷移がなされる画像形成装置（複合機１００）を提供することができる。また、画像形成装置（複合機１００）の回路構成（電源系統）を簡易化し、製造コストを抑えることができる場合がある。
【０１００】
又、本発明の実施形態を説明したが、本発明の範囲はこれに限定されるものではなく、発明の主旨を逸脱しない範囲で種々の変更を加えて実施することができる。
【産業上の利用可能性】
【０１０１】
本発明は、複数の電力供給のＯＮ／ＯＦＦを行う電源デバイスを制御するための電源管理回路や、この電源管理回路を備えた画像形成装置に利用可能である。
【符号の説明】
【０１０２】
１００  複合機（画像形成装置）          １      電源管理回路
１０    管理制御部                      １１    モード信号受信部
１２    タイミング調整用メモリー（メモリー）
１３    計時部                          １４    状態監視部
１５    信号出力部                      ３ｂ    オプション給紙装置（給電対象）
４０    ＣＰＵ（給電対象）              ４１    通信バス（給電対象）
４２    記憶部（給電対象）              ５      電源デバイス
６      ＤＣＤＣコンバーター（電源デバイス）
６１    第１ＤＣＤＣコンバーター        ６２    第２ＤＣＤＣコンバーター
６３    第３ＤＣＤＣコンバーター        ６４    第４ＤＣＤＣコンバーター
６５    第５ＤＣＤＣコンバーター        ７      ＦＥＴ（電源デバイス）
７１    第１ＦＥＴ                      ７２    第２ＦＥＴ
７３    第３ＦＥＴ                      Ｄ１    通電タイミングデータ
Ｄ２    遮断タイミングデータ            Ｄ３    期待値データ
Ｄ４    許容時間データ                  Ｓ１    主電源ＯＮ信号
Ｓ２    主電源ＯＦＦ信号                Ｓ３    移行信号
Ｓ４    解除信号                        Ｓ５    通電信号
Ｓ６    遮断信号
【図１】
0006256251.tif 000002
【図２】
0006256251.tif 000003
【図３】
0006256251.tif 000004
【図４】
0006256251.tif 000005
【図５】
0006256251.tif 000006
【図６】
0006256251.tif 000007
【図７】
0006256251.tif 000008
【図８】
0006256251.tif 000009
【図９】
0006256251.tif 000010
【図１０】
0006256251.tif 000011
【図１１】
0006256251.tif 000012